(57)【要約】      （修正有）【課題】カーテンレールの任意の位置に、簡単に、カーテンランナーを固定したり解放したり出来る様に工夫したカーテンレールを提供する。【解決手段】カーテンレール１の溝３の両端や中央部分に溝３の幅よりも大きい開口部４を設け、カーテンランナー２を開口部４で引き下げることにより、カーテンランナー２の胴体部分が開口部４にはまり込み、容易にカーテンランナー２が固定できる。ぶら下がっているカーテンの重みが加わるため簡単にこの固定が解放されることはない。また、開口部４を固定したい場所に設けることにより、希望の場所でカーテンを固定することが出来る。【選択図】図１
0003160474.tif 000002
【実用新案登録請求の範囲】
【請求項１】
カーテンレール（１）の溝（３）の両端や中央部分に溝（３）の幅よりも大きい開口部（４）を設け、カーテンランナー（２）を開口部（４）で引き下げることにより、カーテンランナー（２）の胴体部分（５）が開口部（４）にはまり込み、容易にカーテンランナー（２）が固定できる様に工夫したカーテンレール（１）。
【請求項２】
請求項１のカーテンランナー（２）のに胴体部分（５）の直径に変化をつけ上部ほど直径が大きくなるように傾斜をつけることにより、より開口部（４）へ強力にカーテンランナー（２）が固定できる様に工夫したカーテンレール（１）。
【請求項３】
請求項１のカーテンランナー（２）の胴体部分（５）に板バネ（６）を設けることにより、より開口部（４）へ強力にカーテンランナー（２）が固定できる様に工夫したカーテンレール（１）。
【請求項４】
請求項１のカーテンランナー（２）のに最上部にスプリング（７）を組み込んだストッパー（８）を設けることにより、より開口部（４）へ強力にカーテンランナー（２）が固定できる様に工夫したカーテンレール（１）。
【考案の詳細な説明】
【技術分野】
【０００１】主として日用雑貨や住宅設備に関する商品を販売している、ホームセンターや家具店、コンビニエンスストア等で売られている金属製、木製、プラスチック製のカーテンレールおよびカーテンランナーに関する。
【背景技術】
【０００２】カーテンの端を固定したい場合、カーテンレールの両端の部品にある輪の部分にフックを通してカーテンを固定していた。そのため、固定していたカーテンを動くようにしたい場合、カーテンのフックをカーテンレール端部の部品より外して、カーテンランナーへ付け替える必要があった。また、カーテンレールの中央部分など、両端以外の任意の部分でカーテンランナーを固定できないという不便な点があった。
【考案の開示】
【考案が解決しようとする課題】
【０００３】本校案によれば、簡単にカーテンを固定したり、自由に動かせるようにしたり出来るようになる。つまり、固定していたカーテンを動くようにしたい場合も、カーテンのフックをカーテンレール端部の部品より外して、カーテンランナーへ付け替えるという面倒な作業をすることなくカーテンランナーの固定を解除し自由に動かすことが出来る。また、カーテンレールの中央部分など、両端以外の任意の部分でもカーテンランナーを固定することが出来る。
【課題を解決するための手段】
【０００４】カーテンレール（１）の溝（３）の両端や中央部分に溝（３）の幅よりも大きい開口部（４）を設け、カーテンランナー（２）を開口部（４）で引き下げることにより、カーテンランナー（２）の胴体部分（５）が開口部（４）にはまり込み、容易にカーテンランナー（２）が固定できる。ぶら下がっているカーテンの重みが加わるため簡単にこの固定が解放されることはない。また、開口部（４）を固定したい場所に設けることにより、希望の場所でカーテンを固定することが出来る。
【考案を実施するための最良の形態】
【０００５】（請求項２）によれは、カーテンランナー（２）のに胴体部分（５）の直径に変化をつけ上部ほど直径が大きくなるように傾斜をつけることにより、より開口部（４）へ強力にカーテンランナー（２）が固定できる。また、（請求項３）によれば、カーテンランナー（２）のに胴体部分（５）に板バネ（６）を設けることにより、より開口部（４）へ強力にカーテンランナー（２）が固定できる。さらに、（請求項４）によれば、カーテンランナー（２）の最上部にスプリング（７）を組み込んだストッパー（８）を設けることにより、より開口部（４）へ強力にカーテンランナー（２）が固定できる。
【実施例】
【０００６】（図１）が本考案の請求項１の実施例で、（図２）が本考案の請求項２の実施例、（図３）が本考案の請求項１の実施例で、である。
【考案の効果】
【０００７】本校案によれば、カーテンのフックをカーテンレール端部の部品より外して、カーテンランナーへ付け替えるという面倒な作業をすることなく、カーテンランナー（２）を軽く持ち上げて開口部（４）より外し、溝（３）の上へずらすことにより、カーテンランナーの固定を解放し通常通りに、自由に動かすことが出来る。また、カーテンレールの中央部分など、両端以外の任意の部分に開口部（４）を設けることにより、任意の場所へもカーテンランナー（２）を固定することが出来る。
【図面の簡単な説明】
【０００８】
【図１】請求項１の実施例の側面図
【図２】請求項１の実施例の断面図
【図３】請求項２の実施例の断面図
【図４】請求項３の実施例の断面図
【図５】請求項４の実施例の断面図
【符号の説明】
【０００９】カーテンレール・・・（１）  カーテンランナー・・・（２）    溝・・・（３）
開口部・・・（４）          胴体部分・・・（５）            板バネ・・・（６）
スプリング・・・（７）      ストッパー・・・（８）
【図１】
0003160474.tif 000003
【図２】
0003160474.tif 000004
【図３】
0003160474.tif 000005
【図４】
0003160474.tif 000006
【図５】
0003160474.tif 000007
【手続補正書】
【提出日】平成22年1月7日(2010.1.7)
【手続補正１】
【補正対象書類名】実用新案登録請求の範囲
【補正対象項目名】請求項２
【補正方法】変更
【補正の内容】
【請求項２】
請求項１のカーテンレール（１）の溝（３）の両端や中央部分に溝（３）の幅よりも大きい開口部（４）を設け、カーテンランナー（２）を開口部（４）で引き下げることにより、カーテンランナー（２）の胴体部分（５）が開口部（４）にはまり込み、容易にカーテンランナー（２）が固定できる様に工夫したカーテンレール（１）において、カーテンランナー（２）のに胴体部分（５）の直径に変化をつけ上部ほど直径が大きくなるように傾斜をつけることにより、より開口部（４）へ強力にカーテンランナー（２）が固定できる様に工夫したカーテンレール（１）。
【手続補正２】
【補正対象書類名】実用新案登録請求の範囲
【補正対象項目名】請求項３
【補正方法】変更
【補正の内容】
【請求項３】
請求項１のカーテンレール（１）の溝（３）の両端や中央部分に溝（３）の幅よりも大きい開口部（４）を設け、カーテンランナー（２）を開口部（４）で引き下げることにより、カーテンランナー（２）の胴体部分（５）が開口部（４）にはまり込み、容易にカーテンランナー（２）が固定できる様に工夫したカーテンレール（１）において、カーテンランナー（２）の胴体部分（５）に板バネ（６）を設けることにより、より開口部（４）へ強力にカーテンランナー（２）が固定できる様に工夫したカーテンレール（１）。
【手続補正３】
【補正対象書類名】実用新案登録請求の範囲
【補正対象項目名】請求項４
【補正方法】変更
【補正の内容】
【請求項４】
請求項１のカーテンレール（１）の溝（３）の両端や中央部分に溝（３）の幅よりも大きい開口部（４）を設け、カーテンランナー（２）を開口部（４）で引き下げることにより、カーテンランナー（２）の胴体部分（５）が開口部（４）にはまり込み、容易にカーテンランナー（２）が固定できる様に工夫したカーテンレール（１）において、カーテンランナー（２）のに最上部にスプリング（７）を組み込んだストッパー（８）を設けることにより、より開口部（４）へ強力にカーテンランナー（２）が固定できる様に工夫したカーテンレール（１）。
【手続補正書】
【提出日】平成22年3月31日(2010.3.31)
【手続補正１】
【補正対象書類名】実用新案登録請求の範囲
【補正対象項目名】全文
【補正方法】変更
【補正の内容】
【実用新案登録請求の範囲】
【請求項１】
カーテンレール（１）の溝（３）の両端や中央部分に溝（３）の幅よりも大きい開口部（４）を設け、カーテンランナー（２）を開口部（４）で引き下げることにより、カーテンランナー（２）の胴体部分（５）が開口部（４）にはまり込み、容易にカーテンランナー（２）が固定できる様にしたことを特徴とする、ロック機能付きカーテンランナーとカーテンレール。
【請求項２】
カーテンレール（１）の溝（３）の両端や中央部分に溝（３）の幅よりも大きい開口部（４）を設け、カーテンランナー（２）を開口部（４）で引き下げることにより、カーテンランナー（２）の胴体部分（５）が開口部（４）にはまり込み、容易にカーテンランナー（２）が固定できる様にしたことを特徴とするロック機能付きカーテンランナーとカーテンレールにおいて、カーテンランナー（２）の胴体部分（５）の直径に変化をつけ上部ほど直径が大きくなるように傾斜をつけることにより、より開口部（４）へ強力にカーテンランナー（２）が固定できる様にしたことを特徴とする、請求項１に記載のロック機能付きカーテンランナーとカーテンレール。
【請求項３】
カーテンレール（１）の溝（３）の両端や中央部分に溝（３）の幅よりも大きい開口部（４）を設け、カーテンランナー（２）を開口部（４）で引き下げることにより、カーテンランナー（２）の胴体部分（５）が開口部（４）にはまり込み、容易にカーテンランナー（２）が固定できる様にしたことを特徴とするロック機能付きカーテンランナーとカーテンレールにおいて、カーテンランナー（２）の胴体部分（５）に板バネ（６）を設けることにより、より開口部（４）へ強力にカーテンランナー（２）が固定できる様にしたことを特徴とする、請求項１に記載のロック機能付きカーテンランナーとカーテンレール。
【請求項４】
カーテンレール（１）の溝（３）の両端や中央部分に溝（３）の幅よりも大きい開口部（４）を設け、カーテンランナー（２）を開口部（４）で引き下げることにより、カーテンランナー（２）の胴体部分（５）が開口部（４）にはまり込み、容易にカーテンランナー（２）が固定できる様にしたことを特徴とするロック機能付きカーテンランナーとカーテンレールにおいて、カーテンランナー（２）の最上部にスプリング（７）を組み込んだストッパー（８）を設けることにより、より開口部（４）へ強力にカーテンランナー（２）が固定できる様にしたことを特徴とする、請求項１に記載のロック機能付きカーテンランナーとカーテンレール。